【手続補正書】
【提出日】平成18年11月10日(2006.11.10)
【手続補正１】
【補正対象書類名】特許請求の範囲
【補正対象項目名】全文
【補正方法】変更
【補正の内容】
【特許請求の範囲】
【請求項１】
マークアップ言語で記述され、タグで区切られた第１の階層の要素と、該タグで区切られた範囲に属する第２の階層の要素とを備えるデータを受信し、表示装置に表示する情報処理装置であって、
キー入力される第１および第２の信号を受信する受信手段と、
前記第１の信号を受信した場合には、前記第１の階層の要素間または前記第２の階層の要素間において要素の選択を切り替え、前記第２の信号を受信した場合には、前記第１の階層の要素と前記第２の階層の要素との間において要素の選択を切り替える切替手段と、
前記選択された要素であることを前記表示装置に表示する選択要素表示手段と
を備えることを特徴とする情報処理装置。
【請求項２】
マークアップ言語で記述され、タグで区切られた要素を複数備えるデータを受信し、表示装置に表示する情報処理装置であって、
前記複数の要素に含まれる情報量を識別する識別手段と、
キー入力される信号を受信する受信手段と、
前記信号を受信した場合に、前記識別手段により識別された各要素の情報量に基づいて、前記複数の要素の選択を切り替える切替手段と、
前記選択された要素であることを前記表示装置に表示する選択要素表示手段と
を備えることを特徴とする情報処理装置。
【請求項３】
マークアップ言語で記述され、タグで区切られた第１の階層の要素と、該タグで区切られた範囲に属する第２の階層の要素とを備えるデータを受信し、表示装置に表示する情報処理装置であって、
前記要素に含まれる情報量を識別する識別手段と、
キー入力される第１および第２の信号を受信する受信手段と、
前記第１の信号を受信した場合には、前記第１の階層の要素間または前記第２の階層の要素間において、前記識別された情報量に基づいて要素の選択を切り替え、前記第２の信号を受信した場合には、前記第１の階層の要素と前記第２の階層の要素との間において要素の選択を切り替える切替手段と、
前記選択された要素であることを前記表示装置に表示する選択要素表示手段と
を備えることを特徴とする情報処理装置。
【請求項４】
マークアップ言語で記述されたデータを受信し、表示装置に表示する情報処理装置であって、
受信した前記データの中から、選択を許可された表示オブジェクトとして記述された表示用要素を検索する検索手段と、
前記検索手段によって検索された前記表示用要素に、選択可否を示す属性情報を付加する属性情報付加手段と、
前記属性情報が付加されたデータを前記表示装置に表示する表示手段と
を備えることを特徴とする情報処理装置。
【請求項５】
マークアップ言語で記述されたデータを受信し、表示装置に表示する情報処理装置であって、
受信した前記データを記憶する記憶手段と、
前記表示装置にポインタを表示させるポインタ制御手段と、
前記表示されたポインタを動かすことで任意の位置を指示する指示手段と、
前記指示手段により指示された位置の表示オブジェクトに対応する表示用要素を前記記憶手段に記憶された前記データから検索し、抽出する抽出手段と
を備えることを特徴とする情報処理装置。
【請求項６】
前記マークアップ言語で記述された前記データはデジタル放送用データであることを特徴とする請求項１乃至５のいずれか１項に記載の情報処理装置。
【請求項７】
前記選択要素表示手段は、
選択された要素が第１の階層の要素であった場合には、該第１の階層のすべての要素について強調表示することを特徴とする請求項１に記載の情報処理装置。
【請求項８】
前記選択要素表示手段は、
前記第１または第２の信号を受信した場合に、切り替えられる要素を強調表示することを特徴とする請求項１に記載の情報処理装置。
【請求項９】
前記要素に含まれる情報量は、該要素が表示された場合の面積であることを特徴とする請求項２または３に記載の情報処理装置。
【請求項１０】
前記要素に含まれる情報量は、該要素に含まれる文字数であることを特徴とする請求項２または３に記載の情報処理装置。
【請求項１１】
前記要素に含まれる情報量は、該要素に含まれるデータのバイト数であることを特徴とする請求項２または３に記載の情報処理装置。
【請求項１２】
前記データは、ＢＭＬで記述されているデータであることを特徴とする請求項６に記載の情報処理装置。
【請求項１３】
前記属性情報が付加されたデータをオブジェクトデータとして記憶する記憶手段をさらに備えることを特徴とする請求項４に記載の情報処理装置。
【請求項１４】
前記検索手段は、ｐ要素、ｏｂｊｅｃｔ要素、ｄｉｖ要素、ｉｎｐｕｔ要素、ｓｐａｎ要素、ａｎｃｈｏｒ要素のいずれかをキーワードに検索することを特徴とする請求項１３に記載の情報処理装置。
【請求項１５】
前記属性情報付加手段は、前記検索手段によって検索された表示用要素に対して、該表示用要素毎に設定されているイベントハンドラを破棄し、選択用のスタイル設定を行うと同時に、該表示用要素間の要素の選択の切り替え順序を設定することを特徴とする請求項４に記載の情報処理装置。
【請求項１６】
前記属性情報付加手段は、前記検索手段によって検索された表示用要素に対して、該表示用要素毎に設定されているイベントハンドラを破棄し、番号キーに対応したアクセスキーを割り当てると同時に、該表示用要素毎に番号を表示するための表示データを挿入することを特徴とする請求項４に記載の情報処理装置。
【請求項１７】
マークアップ言語で記述され、タグで区切られた第１の階層の要素と、該タグで区切られた範囲に属する第２の階層の要素とを備えるデータを表示装置に表示する情報処理方法であって、
キー入力される第１または第２の信号を受信する受信工程と、
前記第１の信号を受信した場合には、前記第１の階層の要素間または前記第２の階層の要素間において要素の選択を切り替え、前記第２の信号を受信した場合には、前記第１の階層の要素と前記第２の階層の要素との間において要素の選択を切り替える切替工程と、
前記選択された要素であることを前記表示装置に表示する選択要素表示工程と
を備えることを特徴とする情報処理方法。
【請求項１８】
マークアップ言語で記述され、タグで区切られた要素を複数備えるデータを受信し、表示装置に表示する情報処理方法であって、
前記複数の要素に含まれる情報量を識別する識別工程と、
キー入力される信号を受信する受信工程と、
前記信号を受信した場合に、前記識別工程により識別された各要素の情報量に基づいて、前記複数の要素の選択を切り替える切替工程と、
前記選択された要素であることを前記表示装置に表示する選択要素表示工程と
を備えることを特徴とする情報処理方法。
【請求項１９】
マークアップ言語で記述され、タグで区切られた第１の階層の要素と、該タグで区切られた範囲に属する第２の階層の要素とを備えるデータを受信し、表示装置に表示する情報処理方法であって、
前記要素に含まれる情報量を識別する識別工程と、
キー入力される第１または第２の信号を受信する受信工程と、
前記第１の信号を受信した場合には、前記第１の階層の要素間または前記第２の階層の要素間において、前記識別された情報量に基づいて要素の選択を切り替え、前記第２の信号を受信した場合には、前記第１の階層の要素と前記第２の階層の要素との間において要素の選択を切り替える切替工程と、
前記選択された要素であることを前記表示装置に表示する選択要素表示工程と
を備えることを特徴とする情報処理方法。
【請求項２０】
マークアップ言語で記述されたデータを受信し、表示装置に表示する情報処理方法であって、
受信した前記データの中から、選択を許可された表示オブジェクトとして記述された表示用要素を検索する検索工程と、
前記検索工程によって検索された前記表示用要素に、選択可否を示す属性情報を付加する属性情報付加工程と、
前記属性情報が付加されたデータを前記表示装置に表示する表示工程と
を備えることを特徴とする情報処理方法。
【請求項２１】
マークアップ言語で記述されたデータを受信し、表示装置に表示する情報処理方法であって、
受信した前記データを記憶する記憶工程と、
前記表示装置にポインタを表示させるポインタ制御工程と、
前記表示されたポインタを動かすことで任意の位置を指示する指示工程と、
前記指示工程により指示された位置の表示オブジェクトに対応する表示用要素を前記記憶工程において記憶された前記データから検索し、抽出する抽出工程と
を備えることを特徴とする情報処理方法。
【請求項２２】
請求項１７乃至２１のいずれか１つに記載の情報処理方法をコンピュータによって実行させるための制御プログラム。